(57)【要約】【課題】画像データの属性値を容易に変更することが可能な読取装置を提供する。【解決手段】読取装置１０は、被読取物を読み取って画像データを生成する読取部１０１と、画像データの属性値を指定する属性値指定情報を取得し、読取部１０１に、属性値指定情報により指定された属性値を有する画像データである第１の画像データと、第１の画像データと異なる属性値を有する画像データである第２の画像データとを生成させる制御部１０７とを有する。【選択図】図５
2015188185.tif 000002
【特許請求の範囲】
【請求項１】
被読取物を読み取って画像データを生成する読取部と、
前記画像データの属性値を指定する属性値指定情報を取得し、前記読取部に、前記属性値指定情報により指定された属性値を有する前記画像データである第１の画像データと、前記第１の画像データと異なる属性値を有する前記画像データである第２の画像データとを生成させる制御部と、を備える読取装置。
【請求項２】
表示部を有する端末装置と通信する第１通信部と、
サーバ装置と通信する第２通信部と、をさらに備え、
前記制御部は、前記第１の画像データを前記端末装置に送信し、前記第２の画像データを前記サーバ装置に送信する、請求項１に記載の読取装置。
【請求項３】
前記制御部は、前記読取部に、第２の画像データとして、前記第１の画像データの解像度以上の解像度を有する画像データを生成させる、請求項１または２に記載の読取装置。
【請求項４】
前記制御部は、前記読取部に、前記属性値がそれぞれ異なる複数の前記第２の画像データを生成させ、前記複数の第２の画像データを前記サーバ装置に送信する、請求項２または３に記載の読取装置。
【請求項５】
読取装置と、端末装置と、サーバ装置と、を備え、
前記読取装置は、
被読取物を読み取って画像データを生成する読取部と、
前記画像データの属性値を指定する属性値指定情報を取得し、前記読取部に、前記属性値指定情報により指定された属性値を有する第１の画像データと、前記第１の画像データと前記属性値が異なる第２の画像データとを生成させ、前記第１の画像データを前記端末装置に送信し、前記第２の画像データを前記サーバ装置に送信する読取制御部とを有し、
前記端末装置は、
表示部と、
前記第１の画像データを受信する第１画像受信部と、
前記第１の画像データを前記表示部に表示させ、当該第１の画像データの属性値の変更を指示する属性値変更操作を受け付け、当該属性値変更操作に応じた属性値の画像データを取得する旨の属性値変更情報を生成して前記サーバ装置に送信し、当該属性値変更情報に応じた前記画像データを前記表示部に表示させる端末制御部と、を有し、
前記サーバ装置は、
前記読取装置から前記第２の画像データを受信し、前記端末装置から前記属性値変更情報を受信する受信部と、
前記第２の画像データを記憶する記憶部と、
前記受信部が前記属性値変更情報を受信すると、前記第２の画像データに基づいて、当該属性値変更情報に応じた画像データを前記端末装置に送信する画像処理部とを有する、読取システム。
【請求項６】
読取部が被読取物を読み取って生成する画像データの属性値を指定する属性値指定情報を取得し、
前記読取部を用いて、前記属性値指定情報により指定された属性値を有する第１の画像データと、前記第１の画像データと前記属性値が異なる第２の画像データとを生成させる、読取方法。
【請求項７】
コンピュータに、
読取部が被読取物を読み取って生成する画像データの属性値を指定する属性値指定情報を取得する手順と、
前記読取部を用いて、前記属性値指定情報により指定された属性値を有する第１の画像データと、前記第１の画像データと前記属性値が異なる第２の画像データとを生成させる手順とを実行させるためのプログラム。
【発明の詳細な説明】
【技術分野】
【０００１】
本発明は、読取装置、読取システム、読取方法、およびプログラムに関する。
【背景技術】
【０００２】
原稿を読み取って画像データを生成する読取装置が普及している。例えば、特許文献１には、生成した画像データをデスクトップＰＣ（Ｐｅｒｓｏｎａｌ  Ｃｏｍｐｕｔｅｒ）に送信する読取装置が開示されている。これにより、原稿に記載された情報を画像データとしてデスクトップＰＣ内に保存しておくことができる。
【０００３】
また、特許文献２には、読み取った画像データをデスクトップＰＣの代わりに、携帯型の電子ペーパ端末に送信する読取装置が開示されている。これにより、ユーザは読取装置に原稿を読み取らせる際に電子ペーパ端末を携帯することで、読み取った画像データをその場で確認することができる。また、電子ペーパ端末に記憶された画像データは、そのまま持ち出すことが可能である。
【先行技術文献】
【特許文献】
【０００４】
【特許文献１】特開平１０−２８３１３２号公報
【特許文献２】特開２００６−３４５０７２号公報
【発明の概要】
【発明が解決しようとする課題】
【０００５】
しかしながら、デスクトップＰＣや電子ペーパ端末などの端末装置が有する表示部の表示原理や画面サイズには様々な種類があり、同じ画像データであっても端末装置毎に見え方が異なる。このため、各端末装置で画像データを見やすく表示するためには、実際に端末装置で画像データを表示して、画像データの明るさ、コントラスト、解像度などの属性値を変更する必要がある。
【０００６】
特許文献１および特許文献２に記載の読取装置では、画像データの属性値を変更する場合、読取装置を操作して、読取装置が生成する画像データの属性値を変更し、実際に端末装置に表示した画像データの見え方を確認する必要がある。このため、端末装置で画像データを見やすくするためには、属性値の変更と画像データの見え方の確認を何度も行わなければならない恐れがあり、利用者にとって煩わしかった。
【０００７】
本発明の目的は、画像データの属性値を容易に変更することが可能な読取装置、読取システム、読取方法、およびプログラムを提供することである。
【課題を解決するための手段】
【０００８】
本発明による読取装置は、
被読取物を読み取って画像データを生成する読取部と、
前記画像データの属性値を指定する属性値指定情報を取得し、前記読取部に、前記属性値指定情報により指定された属性値を有する画像データである第１の画像データと、前記第１の画像データと異なる属性値を有する画像データである第２の画像データとを生成させる制御部と、を有する。
【０００９】
また、本発明による読取システムは、
読取装置と、端末装置と、サーバ装置と、を備え、
前記読取装置は、
被読取物を読み取って画像データを生成する読取部と、
前記画像データの属性値を指定する属性値指定情報を取得し、前記読取部に、前記属性値指定情報により指定された属性値を有する第１の画像データと、前記第１の画像データと前記属性値が異なる第２の画像データとを生成させ、前記第１の画像データを前記端末装置に送信し、前記第２の画像データを前記サーバ装置に送信する読取制御部とを有し、
前記端末装置は、
前記第１の画像データを受信する第１画像受信部と、
前記第１の画像データを前記表示部に表示させ、当該第１の画像データの属性値の変更を指示する属性値変更操作を受け付け、当該属性値変更操作に基づいた属性値変更情報を生成して前記サーバ装置に送信する端末制御部と、を有し、
前記サーバ装置は、
前記読取装置から前記第２の画像データを受信し、前記端末装置から前記属性値変更情報を受信する受信部と、
前記第２の画像データを記憶する記憶部と、
前記受信部が前記属性値変更情報を受信すると、前記第２の画像データに基づいて、当該属性値変更情報に応じた画像データを前記端末装置に送信する画像処理部とを有する。
【００１０】
また、本発明による読取方法は、
読取部が被読取物を読み取って生成する画像データの属性値を指定する属性値指定情報を取得し、
前記読取部を用いて、前記属性値指定情報により指定された属性値を有する第１の画像データと、前記第１の画像データと前記属性値が異なる第２の画像データとを生成させる。
【００１１】
また、本発明によるプログラムは、
コンピュータに、
読取部が被読取物を読み取って生成する画像データの属性値を指定する属性値指定情報を取得する手順と、
前記読取部を用いて、前記属性値指定情報により指定された属性値を有する第１の画像データと、前記第１の画像データと前記属性値が異なる第２の画像データとを生成させる手順とを実行させるためのプログラムである。
【発明の効果】
【００１２】
本発明によれば、画像データの属性値を容易に変更することが可能である。
【図面の簡単な説明】
【００１３】
【図１】本発明の一実施形態に係る読取システム１の構成図である。
【図２】図１の読取装置１０の詳細な構成を示すブロック図である。
【図３】図１の端末装置２０の詳細な構成を示すブロック図である。
【図４】図１のサーバ装置３０の詳細な構成を示すブロック図である。
【図５】図２の読取装置１０の読取動作例を説明するためのフローチャートである。
【図６】図１の読取システム１の属性値変更動作例を説明するためのシーケンス図である。
【発明を実施するための形態】
【００１４】
以下、本発明の実施形態について添付の図面を参照して説明する。なお、本明細書および図面において、同一の機能を有する構成要素については同じ符号を付することにより重複説明を省略する場合がある。
【００１５】
図１は、本発明の一実施形態に係る読取システム１の構成図である。読取システム１は、読取装置１０と、端末装置２０と、サーバ装置３０とを有する。読取装置１０は、原稿を読み取るスキャナ機能を有する複合機である。なお、原稿は、読取装置１０が読み取る対象物である被読取物の一例である。端末装置２０は、例えば、ＰＣ、タブレット端末、電子ペーパ端末、携帯電話、スマートフォンなどの情報処理装置である。
【００１６】
図２は、図１の読取装置１０の詳細な構成を示すブロック図である。読取装置１０は、読取部１０１と、操作部１０２と、記憶部１０３と、第１通信部１０４と、第２通信部１０５と、制御部１０６とを有する。
【００１７】
読取部１０１は、制御部１０６の指示に従って、原稿を読み取って画像データを生成する。読取部１０１は、例えば図示しないラインセンサと、原稿をフィードするフィーダとを含み、フィーダが原稿を一枚ずつフィードしながら、ラインセンサを走査することで、原稿を読み取り電気信号に変換して画像データを生成する。
【００１８】
操作部１０２は、タッチパネルや操作ボタンなどを有し、ユーザが行う操作を受け付け、受け付けた操作に応じた操作信号を生成する。操作部１０２は、生成した操作信号を制御部１０６に出力する。
【００１９】
記憶部１０３は、データ格納用の装置であり、例えばフラッシュメモリなどの不揮発性メモリや、ＨＤＤ（Ｈａｒｄ  Ｄｉｓｋ  Ｄｒｉｖｅ）などの磁気記録媒体などを含む。記憶部１０３は、例えば、読取装置１０を動作させるためのプログラムや、読取部１０１が生成した画像データを記憶する。
【００２０】
第１通信部１０４は、第１の通信規格に従った通信インタフェースなどを有し、制御部１０６からの指示に従って、端末装置２０などの外部装置との間で無線通信する。第１の通信規格は、例えばＮＦＣ（Ｎｅａｒ  Ｆｉｅｌｄ  Ｃｏｍｍｕｎｉｃａｔｉｏｎ）や、Ｂｌｕｅｔｏｏｔｈ（登録商標）などの近距離無線通信規格である。
【００２１】
第２通信部１０５は、第２の通信規格に従った通信インタフェース等を有し、制御部１０６からの指示に従って、サーバ装置３０等の外部装置と通信する。第２の通信規格に従った通信の最高速度は、第１の通信規格に従った通信の最高速度よりも速いことが望ましい。第２通信部１０５は、例えば無線通信用の通信インタフェースを有してもよいし、有線通信用の通信インタフェースを有してもよい。
【００２２】
制御部１０６は、マイクロプロセッサ等であり、記憶部１０３に記憶されたプログラムを読み取って実行することによって、例えば読取制御部１０７等の機能を実現し、読取装置１０の動作を制御する。制御部１０６は、操作部１０２が出力した操作信号を受け付けて、この操作信号に基づいて読取装置１０の動作を制御することができる。
【００２３】
読取制御部１０７は、ユーザが読取開始操作を行ったことを示す操作信号を受け付けると、読取部１０１に原稿を読み取らせて複数の画像データを生成させる。このとき、読取制御部１０７は、読取部１０１が生成する画像データの属性値を指定する。属性値は、例えば画像データの解像度、明るさ、コントラスト等である。読取制御部１０７は、読取部１０１が生成する画像データの属性値を指定する属性値指定情報を取得し、属性値指定情報に基づいて、読取部１０１に、複数の画像データを生成させる。具体的には、読取制御部１０７は、読取部１０１に、属性値指定情報により指定された属性値を有する画像データである第１の画像データと、第１の画像データと異なる属性値を有する画像データである第２の画像データとを生成させる。
【００２４】
第２の画像データは、画像処理によって、それぞれ異なる属性値を有する画像データを、より多く生成することができる属性値を有することが望ましい。例えば、画像データの解像度が高いほど、画像処理によって情報を間引くことによって解像度を下げて、異なる解像度の画像データをより多く生成することができる。このため、読取制御部１０７は、読取部１０１を用いて、第２の画像データとして、第１の画像データの解像度以上の解像度を有する画像データ、例えば読取部１０１が生成することのできる最高の解像度を有する画像データを生成させることが望ましい。読取制御部１０７は、読取部１０１を用いて、第２の画像データとして、第１の画像データよりも明るい画像データを生成させてもよい。また、読取制御部１０７は、属性値を指定する操作である属性値指定操作が行われたことを示す操作信号を受け付けると、この操作信号に基づいて、属性値指定情報を書き換える。
【００２５】
読取制御部１０７は、読取部１０１に第１の画像データおよび第２の画像データを生成させると、第１の画像データを端末装置２０に送信し、第２の画像データをサーバ装置３０に送信する。
【００２６】
図３は、図１の端末装置２０の詳細な構成を示すブロック図である。端末装置２０は、表示部２０１と、操作部２０２と、記憶部２０３と、第１通信部２０４と、第２通信部２０５と、制御部２０６とを有する。
【００２７】
表示部２０１は、制御部２０６の指示に従って各種の画像を表示する。表示部２０１は、例えば表示内容を保持するために電力を必要としない表示保持性をゆする電子ペーパや、ＬＣＤ（Ｌｉｑｕｉｄ  Ｃｒｙｓｔａｌ  Ｄｉｓｐｌａｙ）等である。
【００２８】
操作部２０２は、タッチパネルや操作ボタン等を有し、ユーザが行う操作を受け付け、受け付けた操作に応じた操作信号を生成して制御部２０６に出力する。
【００２９】
記憶部２０３は、データ格納用の装置であり、例えばフラッシュメモリ等の不揮発性メモリや、ＨＤＤ等の磁気記録媒体等を含む。記憶部２０３は、例えば、端末装置２０を動作させるためのプログラムや、表示部２０１に表示させる画像データ等を記憶する。
【００３０】
第１通信部２０４は、第１の通信規格に従った通信インタフェース等を有し、制御部２０６からの指示に従って、読取装置１０等の外部装置との間で無線通信する。第１通信部２０４は、読取装置１０から第１の画像データを受信する受信部とも呼ばれる。
【００３１】
第２通信部２０５は、第２の通信規格に従った通信インタフェース等を有し、制御部２０６からの指示に従って、サーバ装置３０等の外部装置との間で通信する。
【００３２】
制御部２０６は、マイクロプロセッサ等であり、記憶部２０３に記憶されたプログラムを読み取って実行することにより、端末装置２０の動作を制御する。また制御部２０６は、操作部２０２が出力した操作信号を受け付け、受け付けた操作信号に基づいて端末装置２０の動作を制御することができる。
【００３３】
制御部２０６は、第１通信部２０４が読取装置１０から受信した第１の画像データを受け付けて記憶部２０３に記憶させる。そして制御部２０６、記憶部２０３に記憶された第１の画像データを表示部２０１に表示させると、表示された画像データに対する属性値を変更する属性値変更操作を受け付けることができる状態となる。また、制御部２０６は、表示部２０１に表示された第１の画像データの属性値を変更する属性値変更操作が行われたことを示す操作信号を受け付けた場合、この操作信号に基づいて、属性値変更操作に応じた属性値の画像データを取得する旨の属性値変更情報を生成する。そして制御部２０６は、第２通信部２０５を用いて、生成した属性値変更情報をサーバ装置３０に送信する。また制御部２０６は、第２通信部２０５を用いて、サーバ装置３０から属性値変更情報に応じた画像データを受信すると、受信した画像データを表示部２０１に表示させて、表示された画像データに対する属性値変更操作を受け付けることができる状態となる。
【００３４】
図４は、図１のサーバ装置３０の詳細な構成を示すブロック図である。サーバ装置３０は、第２通信部３０１と、記憶部３０２と、制御部３０３とを有する。
【００３５】
第２通信部３０１は、第２の通信規格に従った通信インタフェース等を有し、制御部３０３からの指示に従って、読取装置１０および端末装置２０等の外部装置と通信する。第２通信部３０１は、読取装置１０から第２の画像データを受信したり、端末装置２０から属性値変更情報を受信したりする受信部とも呼ばれる。
【００３６】
記憶部３０２は、データ格納用の装置であり、例えばフラッシュメモリ等の不揮発性メモリや、ＨＤＤ等の磁気記録媒体を含む。記憶部３０２は、例えば、サーバ装置３０を動作させるためのプログラムなどを記憶する。
【００３７】
制御部３０３は、マイクロプロセッサ等であり、記憶部３０２に記憶されたプログラムを読み取って実行することにより、例えば画像処理部３０４などの機能を実現し、サーバ装置３０の動作を制御する。
【００３８】
画像処理部３０４は、第２通信部３０１が読取装置１０から受信した第２の画像データを記憶部３０２に記憶させる。また画像処理部３０４は、第２通信部３０１が端末装置２０から属性値変更情報を受信すると、属性値変更情報に応じた画像データを端末装置２０に送信する。具体的には、画像処理部３０４は、属性値変更情報に基づいて画像処理することにより、第２の画像データの属性値を変更した第２の画像データを生成し、画像処理後の第２の画像データを端末装置２０に送信する。
【００３９】
図５は、図２の読取装置１０の読取動作例を説明するためのフローチャートである。読取装置１０の読取制御部１０７は、属性値指定操作が行われたことを示す操作信号を受け付けたか否かに基づいて、属性値指定操作を検知したか否かを判断する（ステップＳ１００）。属性値指定操作を検知した場合、読取制御部１０７は、属性値指定操作に基づいて属性値指定情報を書き換える（ステップＳ１０１）。属性値指定操作を検知しない場合、ステップＳ１０１の動作は省略される。
【００４０】
続いて、読取制御部１０７は、読取開始操作が行われたことを示す操作信号を受け付けたか否かに基づいて、読取開始操作を検知したか否かを判断する（ステップＳ１０２）。読取開始操作を検知した場合、読取制御部１０７は、属性値指定情報を取得する（ステップＳ１０３）。読取開始操作を検知しない場合、読取開始操作を検知したか否かの判断が繰り返される。
【００４１】
読取制御部１０７は、属性値指定情報を取得すると、読取部１０１に、原稿を読み取らせ、属性値指定情報により指定された属性値を有する第１の画像データを生成させる（ステップＳ１０４）。読取制御部１０７は、生成された第１の画像データを、第１通信部１０４を用いて、端末装置２０に送信する（ステップＳ１０５）。
【００４２】
また読取制御部１０７は、読取部１０１に、原稿を読み取らせ、第１の画像データと属性値の異なる第２の画像データを生成させる（ステップＳ１０６）。読取制御部１０７は、生成された第２の画像データを、第２通信部１０５を用いて、サーバ装置３０に送信する（ステップＳ１０７）。
【００４３】
図６は、図１の読取システム１の属性値変更動作例を説明するためのシーケンス図である。読取装置１０が、図５に示した動作を行うと、第１の画像データが端末装置２０に送信され（ステップＳ１０５）、第２の画像データがサーバ装置３０に送信される（ステップＳ１０７）。
【００４４】
第１の画像データを受信すると、端末装置２０の制御部２０６は、受信した第１の画像データを記憶部２０３に記憶して、表示部２０１に、記憶部２０３に記憶された第１の画像データを表示させる（ステップＳ２００）。
【００４５】
第１の画像データを表示部２０１に表示させると、制御部２０６は、表示された第１の画像データに対する属性値変更操作を受け付けることができる状態となり、属性値変更操作が行われたことを示す操作信号を受け付けたか否かに基づいて、属性値変更操作を検知したか否かを判断する（ステップＳ２０１）。
【００４６】
属性値変更操作を検知した場合、制御部２０６は、属性値変更操作に基づいて、属性値変更情報を生成してサーバ装置３０に送信する（ステップＳ２０２）。
【００４７】
サーバ装置３０の画像処理部３０４は、第２の画像データを読み取り装置１０から受信すると、受信した第２の画像データを記憶部３０２に記憶する。そして画像処理部３０４は、端末装置２０から属性値変更情報を受信すると、受信した属性値変更情報に基づいて、第２の画像データを画像処理することにより、第２の画像データの属性値を変更する（ステップＳ２０３）。そして画像処理部３０４は、第２通信部３０１を用いて、画像処理後の第２の画像データを、属性値変更情報に応じた画像データとして端末装置２０に送信する（ステップＳ２０４）。
【００４８】
端末装置２０の制御部２０６は、第２の通信部２０５がサーバ装置３０から画像処理後の第２の画像データを受信すると、受信した第２の画像データを記憶部２０３に記憶させ、記憶された第２の画像データを表示部２０１に表示させる（ステップＳ２０５）。
【００４９】
第２の画像データを表示部２０１に表示させると、制御部２０６は、表示された第２の画像データに対する属性値変更操作を受け付けることができる状態となり、属性値変更操作が行われたことを示す操作信号を受け付けたか否かに基づいて、属性値変更操作を検知したか否かを判断する（ステップＳ２０６）。
【００５０】
属性値変更操作を検知した場合、制御部２０６は、再びステップＳ２０２の動作に移る。属性値変更操作を検知しない場合、制御部２０６は、属性値変更動作を終了する。
【００５１】
（変形例）
なお、上記ステップＳ２０３では、画像処理部３０４は、第２の画像データを画像処理して属性値を変更することにより生成された画像データを、属性値変更情報に応じた画像データとしたが、本発明はかかる例に限定されない。例えば、読取制御部１０７は、読取部１０１に、属性値がそれぞれ異なる複数の第２の画像データを生成させ、複数の第２の画像データをサーバ装置３０に送信することもできる。この場合、画像処理部３０４は、複数の第２の画像データの中から、属性値変更情報に応じた画像データを選択して、端末装置２０に送信する。
【００５２】
以上説明したように、本発明の一実施形態によれば、読取装置１０は、読取部１０１と、読取制御部１０７とを有する。読取部１０１は、被読取物である原稿を読み取って画像データを生成する。読取制御部１０７は、画像データの属性値を指定する属性値指定情報を取得し、読取部１０１に、属性値指定情報により指定された属性値を有する画像データである第１の画像データと、第１の画像データと異なる属性値を有する画像データである第２の画像データとを生成させる。このため、指定された属性値を有する第１の画像データに加えて、第１の画像データと異なる属性値を有する第２の画像データが自動的に生成される。これにより、何度も属性値を指定して原稿を読み取らせる操作を行うことなく、第１の画像データと異なる属性値を有する第２の画像データが生成されるため、画像データの属性値を容易に変更することが可能になる。
【００５３】
また、本実施形態によれば、読取装置１０は、表示部２０１を有する端末装置２０と通信する第１通信部１０４と、サーバ装置３０と通信する第２通信部１０５とをさらに有し、読取制御部１０７は、第１の画像データを端末装置２０に送信し、第２の画像データをサーバ装置３０に送信する。これにより、第２の画像データをサーバ装置で処理することが可能になるため、読取装置１０や端末装置２０で第２の画像データを処理する場合と比較して、処理が分散されて処理負荷を軽減しつつ、画像データの属性値を容易に変更することが可能になる。
【００５４】
また、本実施形態によれば、読取制御部１０７は、読取部１０１に、第２の画像データとして、第１の画像データよりも解像度が高い画像データを生成させる。これにより、第２の画像データを画像処理することにより、解像度を低下させた画像データを生成することが可能になる。したがって、画像データの属性値を、より確実に、容易に変更することが可能になる。
【００５５】
また、本実施形態によれば、読取制御部１０７は、読取部１０１に、属性値がそれぞれ異なる複数の第２の画像データを生成させ、複数の第２の画像データをサーバ装置３０に送信する。これにより、端末装置２０は、サーバ装置３０から複数の第２の画像データのうちのいずれかを取得することで、画像データの属性値を変更することができる。したがって、画像データの属性値を、より確実に、容易に変更することが可能になる。
【００５６】
また、本実施形態によれば、読取システム１は、読取装置１０と、端末装置２０と、サーバ装置３０とを有する。読取装置１０は、読取部１０１と、読取制御部１０７とを有する。読取部１０１は、原稿を読み取って画像データを生成する。読取制御部１０７は、画像データの属性値を指定する属性値指定情報を取得し、読取部１０１に、属性値指定情報により指定された属性値を有する第１の画像データと、第１の画像データと属性値が異なる第２の画像データとを生成させる。また読取制御部１０７は、第１の画像データを端末装置２０に送信し、第２の画像データをサーバ装置３０に送信する。端末装置２０は、第１画像受信部である第１通信部２０４と、端末制御部である制御部２０６とを有する。第１通信部２０４は、第１の画像データを受信する。制御部２０６は、第１の画像データを表示部２０１に表示させ、当該第１の画像データの属性値の変更を指示する属性値変更操作を受け付け、当該属性値変更操作に基づいた属性値変更情報を生成してサーバ装置３０に送信する。サーバ装置３０は、受信部である第２通信部３０１と、記憶部３０２と、画像処理部３０４とを有する。第２通信部３０１は、読取装置１０から第２の画像データを受信し、端末装置２０から属性値変更情報を受信する。記憶部３０２は、受信した第２の画像データを記憶する。画像処理部３０４は、第２通信部３０１が属性値変更情報を受信すると、第２の画像データに基づいて、属性値変更情報に応じた画像データを端末装置２０に送信する。これにより、何度も属性値を指定して原稿を読み取らせる操作を行うことなく、第１の画像データと異なる属性値を有する第２の画像データが生成されるため、画像データの属性値を容易に変更することが可能になる。
【００５７】
また、本実施形態によれば、画像処理部３０４は、属性値変更情報に基づいて第２の画像データを画像処理することで、第２の画像データの属性値を変更し、画像処理された第２の画像データを属性値変更情報に応じた画像データとして端末装置２０に送信する。これにより、サーバ装置３０において、第２の画像データから属性値変更情報に応じた画像データが生成されて端末装置２０に送信される。したがって、画像データの属性値をより確実に、容易に変更することが可能になる。
【００５８】
また、本実施形態の変形例によれば、読取制御部１０７は、読取部１０１に、属性値がそれぞれ異なる複数の第２の画像データを取得させ、複数の第２の画像データをサーバ装置に送信する。また画像処理部３０４は、複数の第２の画像データから属性値変更情報に応じた画像データを選択して端末装置２０に送信する。これにより、画像処理部３０４が画像処理により属性値変更情報に応じた画像データを生成する場合と比較して、サーバ装置３０における処理負荷を軽減しつつ、画像データの属性値を容易に変更することが可能になる。
【００５９】
また、本実施形態によれば、読取装置１０は、近距離無線通信を用いて第１の画像データを端末装置２０に送信し、サーバ装置３０が読取装置１０および端末装置２０のそれぞれと通信する速度は、近距離無線通信の速度よりも速い。これにより、属性値変更情報に応じた画像データが第１の画像データよりも容量が大きい場合であっても、近距離無線通信よりも速い速度で属性値変更情報に応じた画像データを送受信することができる。したがって、画像データの属性値を、より確実に、容易に変更することが可能になる。
【００６０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００６１】
例えば、上記実施形態では、サーバ装置３０が画像処理部３０４の機能を有することとしたが、本発明はかかる例に限定されない。例えば、読取装置１０、端末装置２０などが画像処理部３０４の機能を有してもよい。
【００６２】
また、上記実施形態では、読取装置１０はスキャナ機能を有する複合機であることとしたが、本発明はかかる例に限定されない。例えば、読取装置１０は、原稿をフィードするフィーダを有さないハンディスキャナなどであってもよい。
【００６３】
また、図５のフローチャートおよび図６のシーケンス図に記載された各ステップは、記載された順序に沿って時系列的に実行されてもよく、また、並列的に実行されてもよい。また、時系列的に実行されるステップであっても、場合によっては適宜順序を変更することが可能である。例えば、図５のステップＳ１０５およびステップＳ１０６は、順序を入れ替えることが可能である。また、ステップＳ１０４およびステップ１０６は、並列的に実行されてもよい。
【００６４】
また、上記実施形態では、読取装置１０、端末装置２０、およびサーバ装置３０の構成と、動作例について主に説明したが、読取装置１０、端末装置２０、およびサーバ装置３０の各機能を実現するためのコンピュータプログラムを作成することが可能である。また、このようなコンピュータプログラムが格納された、コンピュータで読み取り可能な記録媒体の提供することができる。また、コンピュータプログラムは、記録媒体を用いずに、例えばネットワークを介して配信されてもよい。
【００６５】
また、簡単のため上記実施形態では説明を省略したが、端末装置２０は、読取装置１０と認証を行うことで、読取装置１０から第１の画像データを受信することが可能になる。例えば、端末装置２０は、読取装置１０の所定の位置にタッチすることで、第１通信部２０４を用いて読取装置１０と近距離無線通信を行うことで、読取装置１０と認証を行うことができる。また、読取装置１０に端末装置２０を識別するシリアル番号などを入力することで、端末装置２０は、読取装置１０と認証を行うことができる。また、読取システム１が会社内で用いられる場合、この認証は、社員証等を用いた認証システムと連携して行うことで、社員が保有する端末装置２０のみに画像データを送信することができる。また、読取装置１０は、第２の画像データをサーバ装置３０に送信すると共に、端末装置２０を識別する識別子をサーバ装置３０に送信する。これにより、サーバ装置３０が複数の端末装置２０から属性値変更要求を受信する場合であっても、端末装置２０に送信すべき画像データを特定することが可能になる。
【００６６】
また、読取装置１０が端末装置２０に第１の画像データを送信するタイミングは、例えば、ユーザが端末装置２０を読み取り装置１０の所定の位置にタッチしたタイミングであってもよい。
【符号の説明】
【００６７】
１０      読取装置
１０１    読取部
１０２    操作部
１０３    記憶部
１０４    第１通信部
１０５    第２通信部
１０６    制御部
１０７    読取制御部
２０      端末装置
２０１    表示部
２０２    操作部
２０３    記憶部
２０４    第１通信部（第１画像受信部）
２０５    第２通信部
２０６    制御部（端末制御部）
３０      サーバ装置
３０１    第２通信部（受信部）
３０２    記憶部
３０３    制御部
【図１】
2015188185.tif 000003
【図２】
2015188185.tif 000004
【図３】
2015188185.tif 000005
【図４】
2015188185.tif 000006
【図５】
2015188185.tif 000007
【図６】
2015188185.tif 000008